(57)【特許請求の範囲】
【請求項１】
頭部にキーが配設されているキー棒の先端側を、配管抱持金具の一方の端部に形成した円孔に対して回動自在に固定すると共に、前記頭部及びキーが設けられていない側を先頭にして前記キー棒を前記円孔に差し込み、キー棒の先端側に止め金具を固定する構成であり、且つ、配管抱持金具の他方の端部に前記キー棒の頭部を挿通させる円孔と、前記キー棒の頭部に配設されているキーの突出部を挿通させるキー孔とを設け、更に、前記キー棒の頭部を挿通させる円孔に沿って、前記キーの時計方向又は反時計方向への回動を阻止する逆転防止機構を配設してあり、該逆転防止機構が、プレス加工により突起を連続的に設けた戻り防止用突起であり、任意の量だけ回動された前記キーは該戻り防止用突起の間に係止する構成であることを特徴とする配管抱持金具の締付機構。
【請求項２】
前記配管抱持金具の締め付けが、同時に、該配管抱持金具と天井用、壁用、床用などへの取付金具との結合を兼ねていることを特徴とする請求項１に記載の配管抱持金具の締付機構。
【請求項３】
請求項１又は２に記載の配管抱持金具の締付機構を備えていることを特徴とする配管支持具。
【発明の詳細な説明】
【０００１】
【発明の属する技術分野】
本発明は、水道管、ガス管、空調用冷熱媒管、電気・通信ケーブル用管などの配管を天井、壁、床などに支持するのに利用される配管支持具、並びに該配管支持具における配管抱持金具の締付機構に関する。
【０００２】
【従来技術】
図１２に従って従来の配管支持具及び配管抱持金具の締付機構を説明する。図１２に示すものは、配管７を天井から吊り下げて支持するタイプの配管支持具である。このタイプでは、先端側を天井に固定した吊りボルト１に、ナット２により高さ調整して、吊り下げ固定したターンバックル３の脚部３Ａ・３Ｂにバンド５Ａ・５Ｂ（ヒンジ機構４によって開閉自在に構成されている）の両端部をボルト６Ａ・ナット６Ｂにより固定することで、配管７を支持する。実際の作業は、先ず、ボルト１の天井への取付作業と、配管支持具を利用しての配管７の取付作業とに分けられる。ボルト１の天井への取付作業は、図１２に実線で示す状態となるように、吊りボルト１の上端を天井側に用意されているアンカー或いは天井板の螺合構造に固定することで行われる。この時、図示のように、バンド５Ａ・５Ｂはボルト６Ａ・ナット６Ｂによりターンバックル３の脚部３Ａ・３Ｂに固定状態にある態様と、バンド５Ｂの側だけがボルト６Ａ・ナット６Ｂの締め付けから開放されている態様とがある。
【０００３】
天井に固定されている配管支持具への配管７の取付作業に当たっては、上記した前者の態様では、先ず、ナット６Ｂを緩めてボルト６Ａから取り外し、一方のバンド５Ｂをヒンジ機構４により一点鎖線で示すように開放させて、配管７をバンド５Ａの内側に配設してから、外したバンド５Ｂを復帰させ、その端部をボルト６Ａ・ナット６Ｂで固定する作業が行われる。上記した後者の態様では、配管７を抱持する際に、バンド５Ｂは既にボルト６Ａ・ナット６Ｂから開放状態にあるので、ナット６Ｂを取り外せば、仮想線で示す状態から回動させて、配管７を抱持しつつ、その端部の円孔をボルト６Ａに嵌挿させて、次いでナット６Ｂを取り付けて締め付けを行うことになる。
【０００４】
上記の作業は、特に、ナット６Ｂの緩め作業・締め作業は両手作業で行われる必要がある。
【０００５】
上記の作業を片手で行うことを可能とするために、例えば、図１２に示す従来の配管支持具において、（１）ボルト６Ａの頭部側をターンバックル３の一方の脚部３Ａ及び吊りバンド５Ａの端部に回転しないように固定し、ナット６Ｂを取り外してもボルト６Ａが脱落せず、且つナット６Ｂの締め付け時にボルト６Ａが空回りしないよう工夫したり、（２）ターンバックル３の脚部３Ａ及び吊りバンド５Ａの端部にボルト６Ａの脱落及び回動を防止する構造を配設することが行われている。
【０００６】
【発明が解決しようとする課題】
上記した（２）の方法では、ボルト６Ａの脱落及び回動を防止する構造が複雑となりコスト高となる難点があり、（１）の方法では、ボルト６Ａの頭側が固定されている構造にも拘わらず無理やりボルト６Ａの頭を回転させてしまう誤作業が行われる危惧がある。
【０００７】
また、片手によるナット６Ｂの締め付け作業も、工具を利用する必要があることから煩雑である。
【０００８】
本発明は、上記に鑑み、使い勝手がよく片手による作業が容易である配管抱持金具の締付機構及び配管支持具を明らかにすることを課題とする。
【０００９】
【課題を解決するための手段】
本発明の上記課題は、下記の構成により解決される。
（１）頭部にキーが配設されているキー棒の先端側を、配管抱持金具の一方の端部に形成した円孔に対して回動自在に固定すると共に、前記頭部及びキーが設けられていない側を先頭にして前記キー棒を前記円孔に差し込み、キー棒の先端側に止め金具を固定する構成であり、且つ、配管抱持金具の他方の端部に前記キー棒の頭部を挿通させる円孔と、前記キー棒の頭部に配設されているキーの突出部を挿通させるキー孔とを設け、更に、前記キー棒の頭部を挿通させる円孔に沿って、前記キーの時計方向又は反時計方向への回動を阻止する逆転防止機構を配設してあり、該逆転防止機構が、プレス加工により突起を連続的に設けた戻り防止用突起であり、任意の量だけ回動された前記キーは該戻り防止用突起の間に係止する構成であることを特徴とする配管抱持金具の締付機構。
【００１１】
（２）前記配管抱持金具の締め付けが、同時に、該配管抱持金具と天井用、壁用、床用などへの取付金具との結合を兼ねていることを特徴とする前記（１）に記載の配管抱持金具の締付機構。
【００１２】
（３）前記（１）又は（２）に記載の配管抱持金具の締付機構を備えていることを特徴とする配管支持具。
【００１３】
【発明の実施の形態】
本発明に係る配管抱持金具の締付機構及び配管支持具を図面に従って詳細に説明する。
【００１４】
図１〜図５に示す実施例における吊りボルト１、ナット２、ターンバックル３、バンド５Ａ・５Ｂなどの基本構成は、図１２に示した従来の構成と同一であるが、バンド５Ａ・５Ｂの端部の取付部５Ｃ・５Ｄをターンバックル３の端部の取付部（脚部）３Ａ・３Ｂに固定する構成が異なっている。
【００１５】
尚、バンド５Ａ・５Ｂは、配管抱持金具の一種であり、図１に実線で示すように、その中央部分をヒンジ機構４により連結する態様の外、二点鎖線で示すように、一方のバンド５Ａだけで配管８を一時的に支持できるようにするために、両バンド５Ａ・５Ｂの連結位置（ヒンジ機構４を設ける位置）をずらせる構成であってもよい。
【００１６】
本発明においては、図２に示すように、従来例における配管抱持金具の締め付け手段としてのボルト６Ａ・ナット６Ｂに代えて頭部にキー１０を備えているキー棒１１が用いられ、このキー棒１１は、配管支持具が未使用の段階（一方のバンド５Ｂは一点鎖線で示す状態に開放されている）では、ターンバックル３の取付部（脚部）３Ａ・３Ｂの端部に用意されている円孔とバンド５Ａの端部に用意されている円孔へと挿入され、キー棒１１の先端側（図２において左側）において止め金具１２により図面上において右手方向への移動が阻止された状態に固定されている。尚、キー棒１１の図面上において左方向への移動・脱落は、キー棒１１の頭部１１Ａの段部１１Ｂがターンバックル３の取付部（脚部）３Ｂの円孔の縁に当接することで阻止されている。
【００１７】
キー棒１１をターンバックル３及びバンド５Ａに脱落しないように取り付けるには、キー棒１１をその先端側（図１及びず２において左側）から、先ずターンバックル３の取付部３Ｂの円孔に挿通し、次いで他方の取付部３Ａ及びバンド５Ａの夫々の円孔に挿通し、キー棒１１の頭部１１Ａの段部１１Ｂがターンバックル３の取付部３Ｂの円孔の周縁に当接する位置で停止させ、止め金具１２を取り付けることにより行う。
【００１８】
止め金具１２は、例えば円孔を有する円盤状の金具で、この円孔の縁に切り込みが形成されており、円孔部分をキー棒１１に圧入嵌挿させることでキー棒１１の任意の位置で摺動しない状態に固定される。
【００１９】
一方、図３に示す参考発明では、バンド５Ｂの端部には、キー棒１１の頭部１１Ａを挿通させるための円孔１３、キー棒１１のキー１０の突出部分１０Ａを挿通させるキー孔１４、更に、キー１１の突出部分１０Ａの端面が滑動するせり上がり機構１５及びキー１１の逆回動を阻止するための逆転防止機構としての係止用段部１５Ａとが用意されている。
【００２０】
図３に示す参考発明では、せり上がり機構１５が４段に設けられて、キー１１が時計方向に回動される程せり上がり位置が高くなるよう設定されている。
【００２１】
キー棒１１のキー１０は、例えば図４に示すように、一方の側方向にだけ突出部分１０Ａが形成されている構造となっており、この突出部分１０Ａは、図３に示すキー孔１４を挿通可能な高さ及び幅に構成されている。
【００２２】
図５に示す態様では、キー１０の突出部分１０Ａは、キー棒１１の頭部１１Ａの直径方向の両側に突出している。このような態様では、図３に示したキー孔１４はキー１０の突出部分１０Ａに対応して２ヶ所に設ける。
【００２３】
上記の態様の外、キー１０の突出部分１０Ａの全体を十字形、Ｙ形、蝶ネジ状など種々の形状に構成することも可能である。このような場合、鍵孔１４の形状及び個数をキー１０の突出部分１０Ａの形状及び個数に対応させる。図３に示したせり上がり機構１５のサイズ及び個数も同様である。
【００２４】
参考発明のせり上がり機構１５は、図３に示すように形成されており、キー孔１４から（図面上において下方向から）挿通されたキー１０の突出部分１０Ａの端部面１０Ｂがキー孔１４から完全に露出された状態で、キー１０を時計方向に捻れば、キー１０の突出部分１０Ａの端部面１０Ｂは、なだらかな傾斜となっているせり上がり機構１５の上面を滑るように回動され、逆転防止機構としての係止用段部１５Ａにおいて落下する。従って、この状態において、キー１０は反時計方向への回動が阻止される。係止用段部１５Ａの位置から更に時計方向にきー１０を回動させれば、次段のせり上がり機構を進み次段の係止用段部１５Ｂで落下する。このとき、係止用段部１５Ｂの底部の位置、即ち、キー１０の端部面１０Ｂが静止する位置は、先行する係止用段部１５Ａの底部の位置より高い位置にある。従って、キー１０の時計方向への回動量が大であればあるほど、図２に示すターンバックル３の取付部（脚部）３Ａと３Ｂ（従って、バンド５Ａと５Ｂの端部間）の間隙は狭まることになり、直径の大きさを異にする配管７を締め付け支持することに対応できることになる。
【００２５】
せり上がり機構１５及び係止用段部１５Ａ・１５Ｂの個数は、図３に示したような４段に限定されるものではなく、１段〜３段、更には５段以上の多段とすることができる。また、図示の態様では、キー１０を時計方向に回動する構成としたが、反時計方向に回動する態様であってもよい。
【００２６】
せり上がり機構１５及び係止用段部１５Ａをバンド５Ｂの端部にどのようにして形成するかは任意である。例えば、プレス加工によりキー棒１１のための円孔１３及びキー孔１４を打ち抜くのに連携させて、円孔１３を形成する部分の内周端面にせり上がり機構１５及び係止用段部１５Ａ・１５Ｂの打ち抜きを行って、更に、この部分に曲げ加工を行って図３に示すような形状を形成するか、或いは、円孔１３とキー孔１４をプレス加工により打ち抜き、次いで、この部分にパイプ鋼などを断裁して、その一方の断裁部に図３に示すようなせり上がり機構１５及び係止用段部１５Ａ・１５Ｂを形成したピースを別途用意し、これを前記円孔１３の縁に溶接などにより固定する方法により形成する。
【００２７】
本発明では、図３に示した参考発明のせり上がり機構１５を設けないで、図６に示すように、キー棒１１のための円孔１３と、キー１０の突出部１０Ａのためのキー孔１４とを設けるだけの構成とする。更に、このような態様においても、キー１０の振動などによる戻りを防止するために、プレス加工により戻り防止用の突起１６を連続的に設けておくことが好ましい。任意の量だけ回動されたキー１０は、戻り防止用の突起１６の間に係止することになる。尚、この突起１６は円孔１３の円周面に沿って設けてもかまわない。
【００２８】
以上の本発明の説明は、配管抱持金具が、ヒンジ機構４で連結された一対のバンドであり、これが取付金具（上記説明ではターンバックル）の下方に連結される天井吊り下げタイプの配管支持具によっているが、本発明は、図７〜図１１に示す如く、天井用、壁用或いは床用など種々のタイプの配管支持具（配管抱持金具の締め付け）に適用される。
【００２９】
図７に示すタイプは配管抱持金具だけが用意されている態様であり、図１に示した取付金具（ターンバックル）３に代えて、所謂Ｔ足・ネジ足・割足・羽子板など種々の取付金具が利用される。
【００３０】
図８に示すタイプは、配管抱持金具の締め付けが２ヶ所で行われる態様であり、利用される取付金具（Ｔ足等）３は図示のタイプに限定されない。
【００３１】
図９に示すタイプは、配管抱持金具の締め付けがバンド５Ａ・５Ｂの側方の２ヶ所で行われる態様である。この場合も、取付金具３としては任意のものが使用される。
【００３２】
図１０に示すタイプは、配管抱持金具であるバンド５Ａ・５Ｂの端部が延長されて取付金具３を構成する態様である。
【００３３】
図１１に示すタイプは、特許第３０８３７５０号公報に示されている配管振止め金具のように、配管抱持金具の基端側が基枠に係合され、その端面に押し付ける形で配管の抱持が行われる態様である。
【００３４】
尚、バンドの構成については、ヒンジ機構による構成に限らず、組式、提灯式などであってもよい。また、特開平１０−２６２６４号の図２に示されるような、取付金具と配管抱持金具とが一体のものであってもよい。
【００３５】
【発明の効果】
本発明によれば、取付金具が一体型の場合、一方の配管抱持金具（バンド）の取付部にターンバックルなどの取付金具の取付部と共に固定されているキー棒を、頭部キーの側から、ターンバックルの他方の取付部の円孔と共に、他方の配管抱持金具（バンド）の取付部の円孔及びキー孔に挿通して、次いで、時計方向（反時計方向）に回動させるだけで、配管を抱いて開放状態にあった他方の配管抱持金具（バンド）の取付部を、ターンバックルなどの取付金具の取付部に固定することができ、しかもこれらの作業は、殆ど片手作業で行うことができるので使い勝手がよく、配管作業の能率化に寄与することができる効果がある。尚、取付金具は一体型である必要がないことは勿論である。
【００３６】
また、キー棒の頭部キーの回動に際して、図３に示す突起１６を設けられているので、頭部キーの回動量によって配管抱持金具（バンド）が抱きかかえた配管の締め付け量を調節することができるので、多少の直径を異にする配管を支持する際にも簡単に対応することができる。
【図面の簡単な説明】
【図１】本発明に係る配管支持具の１実施例を示す正面図
【図２】要部断面図
【図３】参考発明のせり上がり機構の１例を示す斜視図
【図４】キーの１例を示す斜視図
【図５】キーの他の例を示す斜視図
【図６】本発明に係る逆転防止機構の１例を示す斜視図
【図７】本発明に係る配管支持具の他の実施例を示す正面図
【図８】本発明に係る配管支持具の他の実施例を示す正面図
【図９】本発明に係る配管支持具の他の実施例を示す正面図
【図１０】本発明に係る配管支持具の他の実施例を示す正面図
【図１１】本発明に係る配管支持具の他の実施例を示す正面図
【図１２】従来の配管支持具を示す正面図
【符号の説明】
１−吊りボルト
２−ナット
３−ターンバックルなどの取付金具
３Ａ−取付部（脚部）
３Ｂ−取付部（脚部）
４−ヒンジ機構
５Ａ−バンド（配管抱持金具）
５Ｂ−バンド（配管抱持金具）
５Ｃ−取付部
５Ｄ−取付部
６Ａ−ボルト
６Ｂ−ナット
７−配管
１０−キー
１０Ａ−突出部分
１０Ｂ−端部面
１１−キー棒
１１Ａ−キー棒の頭部
１１Ｂ−キー棒頭部の段部
１２−止め金具
１３−円孔
１４−キー孔
１５−せり上がり機構
１５Ａ−係止用段部（逆転防止機構）
１５Ｂ−係止用段部（逆転防止機構）
１６−突起
【図１】
0004757377.tif 000002
【図２】
0004757377.tif 000003
【図３】
0004757377.tif 000004
【図４】
0004757377.tif 000005
【図５】
0004757377.tif 000006
【図６】
0004757377.tif 000007
【図７】
0004757377.tif 000008
【図８】
0004757377.tif 000009
【図９】
0004757377.tif 000010
【図１０】
0004757377.tif 000011
【図１１】
0004757377.tif 000012
【図１２】
0004757377.tif 000013